(57)【要約】【課題】外部から力を受けても外れることを防止する。【解決手段】保護カバー１０は、可撓性を有する材質であり、分断された筒状体１０Ａと、分断部１０ａの一方の縁部１１に形成された第１折返部１２ｂを有する係止部１２と、分断部１０ａの他方の縁部１３に形成され、第１折返部１２ｂに係脱可能に係止される第２折返部１４ｂを有する被係止部１４と、一方の縁部１１から切込みを入れる際の切込み深さの目安となる標示部１５とを備え、支持具２を介して支持された配管を覆う状態で、かつ、一方の縁部１１から標示部１５に達する切込みを入れて形成された挿通部１８を有し、その挿通部１８に支持具２の脚部２ｂが挿通されるとともに第１折返部１２ｂと第２折返部１４ｂとが係止された状態において、挿通部１８における標示部１５と支持具の脚部２ｂとの隙間寸法Ｌ１よりも第２折返部１４ｂの突出幅寸法Ｌ２の方が大きい。【選択図】図４
2011237069.tif 000002
【特許請求の範囲】
【請求項１】
固定体（１）に固定される取付部（２ａ）と、この取付部（２ａ）に繋がる脚部（２ｂ）と、この脚部（２ｂ）に繋がる配管支持部（２ｃ）とを有する支持具（２）を介し、前記脚部（２ｂ）により前記固定体（１）から離間した状態で支持される配管（３）を覆う保護カバー（１０）であって、
可撓性を有する材質であり、
軸心方向の全長に亘り周方向の１箇所で分断された筒状体（１０Ａ）と、
前記筒状体（１０Ａ）の分断されたところ（１０ａ）の一方の縁部（１１）に形成され、前記一方の縁部（１１）の端を折り返してなる第１折返部（１２ｂ）を有する係止部（１２）と、
前記筒状体（１０Ａ）の分断されたところ（１０ａ）の他方の縁部（１３）に形成され、前記他方の縁部（１３）の端を折り返してなる第２折返部（１４ｂ）を有し、前記第２折返部（１４ｂ）が前記第１折返部（１２ｂ）に係脱可能に係止される被係止部（１４）と、
前記支持具（２）の脚部（２ｂ）を挿通させる挿通部（１８）を形成する際に用いられ、前記一方の縁部（１１）から切込み（１６）を入れる際の切込み深さの目安となる標示部（１５）とを備え、
前記支持具（２）を介して支持された前記配管（３）を覆う状態で、かつ、前記一方の縁部（１１）から前記標示部（１５）に達する切込みを入れて形成された前記挿通部（１８）を有し、その挿通部（１８）に前記支持具（２）の脚部（２ｂ）が挿通されるとともに前記第１折返部（１２ｂ）と前記第２折返部（１４ｂ）とが互いに係止された状態において、前記挿通部（１８）における前記標示部（１５）と前記支持具（２）の脚部（２ｂ）との隙間寸法（Ｌ１）よりも前記第２折返部１４ｂの突出幅寸法（Ｌ２）の方が大きい構成になっていることを特徴とする保護カバー。
【請求項２】
請求項１に記載の保護カバーにおいて、
前記標示部（１５）が外表面に設けられていることを特徴とする保護カバー。
【請求項３】
請求項１または２に記載の保護カバーにおいて、
前記標示部（１５）が、前記切込み深さを異ならせるように複数設けられていることを特徴とする保護カバー。
【請求項４】
固定体（１）に固定された支持具（２）により支持される配管（３）を覆うように取付けられる保護カバー（１０）の取付構造であって、
前記支持具（２）は、前記固定体（１）に固定される取付部（２ａ）と、この取付部（２ａ）に繋がる脚部（２ｂ）と、この脚部（２ｂ）に繋がる配管支持部（２ｃ）とを有するもので、
前記保護カバー（１０）は、可撓性を有する材質であり、軸心方向の全長に亘り周方向の１箇所で分断された筒状体（１０Ａ）と、筒状体（１０Ａ）の分断されたところ（１０ａ）の一方の縁部（１１）に形成され、前記一方の縁部（１１）の端を折り返してなる第１折返部（１２ｂ）を有する係止部（１２）と、前記筒状体（１０Ａ）の分断されたところ（１０ａ）の他方の縁部（１３）に形成され、前記他方の縁部（１３）の端を折り返してなる第２折返部（１４ｂ）を有し、その第２折返部（１４ｂ）が前記第１折返部（１２ｂ）に係脱可能に係止される被係止部（１４）と、前記支持具（２）の脚部（２ｂ）を挿通させる挿通部（１８）を形成する際に用いられ、前記一方の縁部（１１）から切込み（１６）を入れる際の切込み深さの目安となる標示部（１５）とを備え、
前記支持具（２）を介して支持された前記配管（３）を前記保護カバー（１０）が覆う状態で、かつ、前記一方の縁部（１１）から前記標示部（１５）に達する切込み（１６）を入れて形成された前記挿通部（１８）を有し、その挿通部（１８）に前記支持具（２）の脚部（２ｂ）が挿通されるとともに前記第１折返部（１２ｂ）と前記第２折返部（１４ｂ）とが互いに係止された状態で、前記挿通部（１８）における前記標示部（１５）と前記支持具（２）の脚部（２ｂ）との隙間寸法（Ｌ１）よりも前記第２折返部（１４ｂ）の突出幅寸法（Ｌ２）の方が大きいことを特徴とする保護カバーの取付構造。
【発明の詳細な説明】
【技術分野】
【０００１】
本発明は、例えば空調機の室外機と室内機とを繋ぐ配管や配線などの屋外に配された部分を保護する保護カバー及びその取付構造に関する。
【背景技術】
【０００２】
上記保護カバーとして、外壁などに固定した支持具で支持された配管や配線を覆うように配設されるものがあり、そのような保護カバーは内部に前記配管や配線が通る筒状に形成される。そして、筒状の保護カバーにあっては、前記支持具を内外方向に挿通させる挿通部が必要になる（例えば、特許文献１等参照）。
【先行技術文献】
【特許文献】
【０００３】
【特許文献１】特開平７−１９５２９号公報
【発明の概要】
【発明が解決しようとする課題】
【０００４】
前記特許文献１の保護カバーにあっては、周方向において半割状態に形成された断面半円形の２つの保護カバー半体のそれぞれの一方の縁部に係止部が、他方の縁部に前記係止部と係止される被係止部がそれぞれ設けられるとともに、各保護カバー半体の片方の縁部に凹状の切欠部が予め設けられていて、その切欠部どうしが一致するように両方の縁部を重ねて、係止部と被係止部とを係止することで２つの保護カバー半体が断面円形に連結されるとともに矩形孔状の挿通部が形成されるように構成されている。そのため、前記切欠部が保護カバー半体に予め形成されているので、支持具のサイズや２つの保護カバー半体を切断するときに長さがずれると挿通部にその支持具が入らない場合があった。
【０００５】
そこで、設置現場において、配管を支持具で支持した後に、その支持具のサイズに合わせて保護カバーに、凹状の切欠部を、挟みやのこぎり等を用いて切断することにより形成することが考えられる。
【０００６】
しかしながら、切込み深さが短いと、挿通部が小さくなって支持具を挿通させることができず、また再度切断する必要があって煩わしく、一方、切込み深さが長いと、支持具との間に大きな隙間ができて取付けた保護カバーがぐらつき易く、そのため保護カバーに外部から強い力が作用すると、保護カバーの変形により係止部と被係止部との係止状態が解けて、保護カバーが外れる虞があった。
【０００７】
本発明は、このような従来技術の課題を解決するためになされたものであり、外部から力を受けても外れることを防止することができる保護カバーおよびその取付構造を提供することを目的とする。
【課題を解決するための手段】
【０００８】
本発明の請求項１に係る保護カバーは、固定体に固定される取付部と、この取付部に繋がる脚部と、この脚部に繋がる配管支持部とを有する支持具を介し、前記脚部により前記固定体から離間した状態で支持される配管を覆う保護カバーであって、可撓性を有する材質であり、軸心方向の全長に亘り周方向の１箇所で分断された筒状体と、前記筒状体の分断されたところの一方の縁部に形成され、前記一方の縁部の端を折り返してなる第１折返部を有する係止部と、前記筒状体の分断されたところの他方の縁部に形成され、前記他方の縁部の端を折り返してなる第２折返部を有し、前記第２折返部が前記第１折返部に係脱可能に係止される被係止部と、前記支持具の脚部を挿通させる挿通部を形成する際に用いられ、前記一方の縁部から切込みを入れる際の切込み深さの目安となる標示部とを備え、前記支持具を介して支持された前記配管を覆う状態で、かつ、前記一方の縁部から前記標示部に達する切込みを入れて形成された前記挿通部を有し、その挿通部に前記支持具の脚部が挿通されるとともに前記第１折返部と前記第２折返部とが互いに係止された状態において、前記挿通部における前記標示部と前記支持具の脚部との隙間寸法よりも前記第２折返部の突出幅寸法の方が大きい構成になっていることを特徴とする。
【０００９】
この発明による場合には、挿通部に支持具の脚部が挿通されるとともに第１折返部と第２折返部とが係止された状態で、挿通部における標示部と支持具の脚部との隙間寸法よりも第２折返部の突出幅寸法の方が大きいので、外力を受けても第２折返部が第１折返部に係止された状態を保持するため、保護カバーは周方向に閉じた状態を維持し、かつ筒状体が１箇所で分断された形態であるため、配管から外れる虞はない。一方、保護カバーを配管に取付ける場合または保護カバーを配管から外す必要がある場合には、可撓性を有する保護カバーを変形させて第２折返部を第１折返部に係止させまたは外すことができるので、保護カバーの配管への取付け、保護カバーの配管からの取外しを行い得る。また、保護カバーに設けた標示部を目印として切込みを入れることで、挿通部における標示部と支持具の脚部との隙間よりも第２折返部の突出幅の方を大きくすることを可能にする挿通部を寸法精度よく形成することができる。
【００１０】
前記保護カバーにおいて、前記標示部が外表面に設けられている構成にすることが好ましい。この構成による場合には、挿通部を切込みにより形成する際に、その切込み深さの目安となる標示部が見やすく、所望の深さの切込みを精度よく形成することができる。
【００１１】
前記保護カバーにおいて、前記標示部が、前記切込み深さを異ならせるように複数設けられている構成にすることが好ましい。この構成による場合には、脚部の厚みが異なる複数の支持具から任意の一つを使用しても、その支持具に最適な切込み深さの挿通部を形成することができる。
【００１２】
本発明の保護カバーの取付構造は、固定体に固定された支持具により支持される配管を覆うように取付けられる保護カバーの取付構造であって、前記支持具は、前記固定体に固定される取付部と、この取付部に繋がる脚部と、この脚部に繋がる配管支持部とを有するもので、前記保護カバーは、可撓性を有する材質であり、軸心方向の全長に亘り周方向の１箇所で分断された筒状体と、筒状体の分断されたところの一方の縁部に形成され、前記一方の縁部の端を折り返してなる第１折返部を有する係止部と、前記筒状体の分断されたところの他方の縁部に形成され、前記他方の縁部の端を折り返してなる第２折返部を有し、その第２折返部が前記第１折返部に係脱可能に係止される被係止部と、前記支持具の脚部を挿通させる挿通部を形成する際に用いられ、前記一方の縁部から切込みを入れる際の切込み深さの目安となる標示部とを備え、前記支持具を介して支持された前記配管を前記保護カバーが覆う状態で、かつ、前記一方の縁部から前記標示部に達する切込みを入れて形成された前記挿通部を有し、その挿通部に前記支持具の脚部が挿通されるとともに前記第１折返部と前記第２折返部とが互いに係止された状態において、前記挿通部における前記標示部と前記支持具の脚部との隙間寸法よりも前記第２折返部の突出幅寸法の方が大きいことを特徴とする。
【００１３】
この保護カバーの取付構造による場合にも、挿通部に支持具の脚部が挿通されるとともに第１折返部と第２折返部とが係止された状態で、挿通部における標示部と支持具の脚部との隙間寸法よりも第２折返部の突出幅寸法の方が大きいので、外力を受けても第２折返部が第１折返部に係止された状態を保持するため、保護カバーは周方向に閉じた状態を維持し、かつ筒状体が１箇所で分断された形態であるため、配管から外れる虞はない。一方、保護カバーを配管に取付ける場合または保護カバーを配管から外す必要がある場合には、可撓性を有する保護カバーを変形させて第２折返部を第１折返部に係止させまたは外すことができるので、保護カバーの配管への取付け、保護カバーの配管からの取外しを行い得る。また、保護カバーに設けた標示部を目印として切込みを入れることで、挿通部における標示部と支持具の脚部との隙間よりも第２折返部の突出幅の方を大きくすることを可能にする挿通部を寸法精度よく形成することができる。
【発明の効果】
【００１４】
本発明による場合には、挿通部に支持具の脚部が挿通されるとともに第１折返部と第２折返部とが係止された状態で、挿通部における標示部と支持具の脚部との隙間寸法よりも第２折返部の突出幅寸法の方が大きいので、外力を受けても第２折返部が第１折返部に係止された状態を保持するため、保護カバーは周方向に閉じた状態を維持し、かつ筒状体が１箇所で分断された形態であるため、配管から外れる虞はない。一方、保護カバーを配管に取付ける場合または保護カバーを配管から外す必要がある場合には、可撓性を有する保護カバーを変形させて第２折返部を第１折返部に係止させまたは外すことができるので、保護カバーの配管への取付け、保護カバーの配管からの取外しを行い得る。
【図面の簡単な説明】
【００１５】
【図１】本発明の一実施形態に係る保護カバーを用いて配管及び配線を保護する保護カバーの取付構造を示す斜視図である。
【図２】図１の保護カバーの取付構造を配管の延びる方向から見た断面図である。
【図３】本発明の一実施形態に係る保護カバーに凹部を形成した状態を示す斜視図である。
【図４】支持具の脚部を拡大して示す断面図（図２相当図）である。
【発明を実施するための形態】
【００１６】
以下に、本発明の実施形態を具体的に説明する。
【００１７】
図１は本発明の一実施形態に係る保護カバーを用いて配管及び配線を保護する保護カバーの取付構造を示す斜視図であり、図２は図１の保護カバーの取付構造を配管の延びる方向から見た断面図である。
【００１８】
この実施形態に係る保護カバーの取付構造は、固定体としての外壁１に固定された支持具２と、この支持具２に支持された３つの配管３と、支持具２に支持された、３本のリード線を有する配線４と、これら配管３および配線４を覆って保護する保護カバー１０とを有する。上記配管３と配線４は空調機の室外機と室内機とに繋がっていて、保護カバー１０はこれら配管３と配線４の屋外に配された部分を保護する。
【００１９】
支持具２は、外壁１に固定される取付部２ａと、この取付部２ａに繋がる脚部２ｂと、この脚部２ｂに繋がる配管支持部２ｃとを有する。取付部２ａは外壁１に平行な部分で、配管支持部２ｃは途中が分断されかつ概略円環状に形成された部分である。脚部２ｂはこれら取付部２ａと配管支持部２ｃとの間の部分であり、取付部２ａの中央部から立ち上がった垂直部２ｂ１と、配管支持部２ｃの分断箇所の両縁に繋がる２つの平行部２ｂ２とで構成され、２つの平行部２ｂ２が垂直部２ｂ１の上側部分を挟むように設けられており、この三重に重なった箇所Ａが、ボルト５ａおよびナット５ｂからなる締結手段により固定されている。そして、本実施形態では、前記三重に重なった箇所Ａが、後述する挿通部１８に挿通される箇所として利用される。また、概略円環状に形成された配管支持部２ｃは、その内側に通された前記３つの配管３および配線４を支持している。
【００２０】
保護カバー１０は、例えば押し出し成形により形成された可撓性を有する樹脂製のもので、前記３つの配管３および配線４を覆う状態で、配管支持部２ｃを囲むように配置される。また、保護カバー１０は、円筒における周方向の一箇所が、配管３の延びる方向の全長に亘り分断された筒状体１０Ａと、その分断されたところである分断部１０ａの一方の縁部１１に設けられた係止部１２と、前記分断部１０ａの他方の縁部１３に設けられた被係止部１４とを備え、被係止部１４が前記係止部１２に係脱可能に係止される。なお、筒状体１０Ａと係止部１２と被係止部１４とは一体的に繋がっている。
【００２１】
係止部１２は、一方の縁部１１の先端を保護カバー１０の内側に折り曲げることで形成されていて、湾曲部１２ａと、その先端側の第１折返部１２ｂとを有する。一方、被係止部１４は、保護カバー１０の内側に折り曲げられた他方の縁部１３の先端側を、更に保護カバー１０の外側に折り曲げることで形成されていて、湾曲部１４ａと、その先端側の第２折返部１４ｂとを有する。ここで、第２折返部１４ｂの先端１４ｃと湾曲部１４ａの内側の内奥部１４ｄとの間における保護カバー１０の周方向の長さは、第２折返部１４ｂの突出幅寸法（Ｌ２）と言う。なお、被係止部１４の基端側における保護カバー１０の内側に折り曲げられた箇所１３ａは、被係止部１４を保護カバー１０の内側に配設させるために形成されている。
【００２２】
上記係止部１２及び被係止部１４は、逆向きに延びていて、第１折返部１２ｂと第２折返部１４ｂとを引っ掛けることで係止され（図２参照）、第１折返部１２ｂと第２折返部１４ｂとの引っ掛かり状態を外すことで非係止状態にされる。
【００２３】
また、保護カバー１０の外表面には、一方の縁部１１（例えば湾曲部１２ａ）から所定距離だけ離れた位置に標示部１５が設けられている。この標示部１５は、保護カバー１０の外側に谷形に窪んだ凹条溝に形成されており、一方の縁部１１（湾曲部１２ａ）から切込みを入れる際の切込み深さの目安となるように設けられている。上記標示部１５は、保護カバー１０が前述したように押し出し成形により形成されているので、一方の縁部１１に沿って延びる線状の目印線として保護カバー１０の全長に亘って形成されている。
【００２４】
次に、このように構成された保護カバー１０を用いた、本実施形態に係る保護カバーの取付構造につき説明する。
【００２５】
前記外壁１に固定した支持具２の配管支持部２ｃに配管３及び配線４を保持する。これに前後して、保護カバー１０の第１折返部１２ｂと第２折返部１４ｂとの引っ掛かり状態を外して係止部１２と被係止部１４を非係止状態にする。そして、その状態の保護カバー１０の一方の縁部１１の端から、図３に示すように、前記支持具２の脚部２ｂの長さＬ３（図１参照）に応じて標示部１５を目印として切込み１６を２本入れる。切込み１６の深さは、例えば作業者が、前記三重に重なった箇所Ａの厚みＷ（図２参照）を実測または目側した寸法に基づき、標示部１５を目印として決める。続いて、その２本の切込み１６の間の部分を作業者が折り曲げにより欠落させて、一定幅の凹部１７を所望長さに形成する。なお、標示部１５の断面形状は、折り曲げにより欠落させ易い形状であれば、谷形に限らず、他の凹状に窪んだ形状を採ることも可能である。また、凹状に窪んだ形状を採ることで、凹部１７の内奥部を標示部１５に沿った直線状に形成し易くできる。
【００２６】
その後、一方の縁部１１と他方の縁部１３とを大きく開き、配管３及び配線４が内側に入るように保護カバー１０を被せる。このとき、凹部１７に、前記三重に重なった箇所Ａを入れる。
【００２７】
続いて、可撓性の保護カバー１０を変形させて、第１折返部１２ｂと第２折返部１４ｂとを引っ掛けて、係止部１２と被係止部１４を係止する。この係止により凹部１７の箇所に、矩形状の縁を有する挿通部１８が形成されるとともに、図４に示すように、その挿通部１８を前記三重に重なった箇所Ａが挿通する状態とされ、これにより保護カバー１０が配管３等を覆い支持具２に取付けられる。なお、前記挿通部１８の形成は、凹部１７の開口側が他方の縁部１３の被係止部１４で塞がれることで行われる。ここで、挿通部１８における標示部１５と支持具２の脚部２ｂとの間であって、保護カバー１０の周方向の長さは、隙間寸法Ｌ１と言う。この隙間寸法Ｌ１と前記第２折返部１４ｂの突出幅寸法（Ｌ２）との関係は、前記湾曲部１４ａが前記脚部２ｂに接触する状態において、挿通部１８における隙間寸法Ｌ１よりも第２折返部１４ｂの突出幅寸法Ｌ２の方が大きくなるように規定される（図４参照）。
【００２８】
以上の作業を繰り返して屋外に配設された配管３等をその全長にわたり保護カバー１０で保護した保護カバーの取付構造が得られる。
【００２９】
したがって、本実施形態の保護カバーの取付構造にあっては、挿通部１８に支持具２の脚部２ｂが挿通されるとともに第１折返部１２ｂと第２折返部１４ｂとが互いに係止された状態で、挿通部１８における標示部１５と支持具２の脚部２ｂとの隙間寸法Ｌ１よりも第２折返部１４ｂの突出幅寸法Ｌ２の方が大きいので、外力を受けても第２折返部１４ｂが第１折返部１２ｂに係止された状態を保持するため、保護カバー１０は周方向に閉じた状態を維持し、かつ筒状体１０Ａが１箇所で分断された形態であるため、配管３から外れる虞はない。一方、保護カバー１０を配管３から外す必要がある場合には、可撓性を有する保護カバー１０を変形させて第２折返部１４ｂを第１折返部１２ｂから外すことができるので、保護カバー１０に配管３からの取外しを行い得る。また、保護カバー１０に設けた標示部１５を目印として切込みを入れることで、挿通部１８における標示部１５と支持具２の脚部２ｂとの隙間寸法Ｌ１よりも第２折返部１４ｂの突出幅寸法Ｌ２の方を大きくすることを可能にする挿通部１８を寸法精度よく形成することができる。更に、標示部１５を目印として保護カバー１０の一方の縁部１１から切込み１６を入れることで、支持具２に対応する最適な切込み深さの挿通部１８を形成することができる。なお、前記突出幅寸法Ｌ２の前記隙間寸法Ｌ１に対する相対的な大きさは、保護カバー１０の可撓性を考慮して第２折返部１４ｂを第１折返部１２ｂから外すことができるように決定すればよい。
【００３０】
なお、本実施形態では、標示部１５として１本の目印線を用いており、その標示部１５の位置を一番よく用いられる支持具２の厚みＷが標準サイズのものを対象とする位置に合わせておくと、標示部１５まで切込むと標準サイズに対応した大きさの挿通部を形成することが可能になる。また、支持具２の厚みＷが標準サイズよりも大きい場合には標示部１５を越えて切込み、支持具２の厚みＷが標準サイズよりも小さい場合には標示部１５の手前まで切込むことで、支持具２の厚みＷに応じた大きさの挿通部１８を形成することができる。よって、支持具２の厚みＷが標準でないときでも、支持具に対応する、丁度良い大きさの挿通部を形成することができる。
【００３１】
また、本実施形態にあっては、係止部１２と被係止部１４が保護カバー１０の全長に亘って形成されているので、強固な係止が可能となる。なお、係止部１２および被係止部１４の少なくとも一方が、分断されたところ１０ａの全長に亘たって形成されている構成にしてもよい。この構成の場合には、強固な係止を確保した上で軽量化が図れる。
【００３２】
更にまた、本実施形態にあっては、標示部１５が保護カバー１０の全長に亘って形成されているので、保護カバー１０の長さ方向のどの位置に挿通部１８を設けるときでも、一定深さの切込み１６を形成することができる。
【００３３】
更にまた、本実施形態にあっては、標示部１５が縁部１１に沿って延びる目印線であるので、保護カバー１０を押し出し成形により形成する際に、目印線をその成形時に一緒に形成することができる。
【００３４】
更にまた、本実施形態にあっては、標示部１５が保護カバー１０の外表面に形成されているので、外から見える箇所に標示部１５が存在するため、作業者が切込み１６を入れる際に視認がし易くなり、所望深さの切込みを精度よく形成することができる。
【００３５】
更にまた、本実施形態にあっては、保護カバー１０が押し出し成形により形成された樹脂製であるので、保護カバー１０を一定の断面形状で量産することができ、またその材質上、挿通部を形成するときの切込み１６を容易に行い得る。なお、保護カバー１０としては、切込みを行うことができかつ可撓性を有すればよく、材質的には金属製のものも含まれる。
【００３６】
なお、上述した実施形態では、被係止部１４における前記箇所１３ａで内側に折り曲げられ、更に、湾曲部１４ａで先端１４ｃが外側に折り曲げられた構成としているが、本発明はこれとは逆に、前記箇所１３ａで外側に折り曲げられ、更に、湾曲部１４ａで先端１４ｃが内側に折り曲げられた構成としてもよい。この場合には、被係止部１４ｂとの係止を可能にするためには、係止部１２は湾曲部１２ａの箇所で第１折返部１２ｂを外側に折り曲げた構成にする必要がある。
【００３７】
また、上述した実施形態では標示部１５を標準サイズの支持具２に対応した位置に１本設けているが、本発明はこれに限らない。例えば、支持具２の厚みＷが標準サイズ、標準サイズよりも大、または標準サイズよりも小の３通りである場合には、各サイズに応じた位置に３本の標示部１５を設けるようにしてもよい。或いは、これに代えて、２本の標示部１５を設けるようにしてもよい。この場合、よく用いる支持具２の厚みＷが２種類であるときに好適であるが、支持具２の厚みＷが３種類以上である場合であっても、これらのうちでよく用いる２つの厚みＷを対象として２本の標示部１５を設けるようにしてもよい。
【００３８】
更に、上述した実施形態では標示部１５を１本の連続した線状（目印線）として形成しているが、本発明はこれに限らず、標示部を断続的に形成してもよい。また、標示部の形態としては、谷形などの凹状に窪んだ形状に限らず、塗装により形成したものであってもよい。
【００３９】
更にまた、上述した実施形態では保護カバー１０により３つの配管３と３本のリード線を有する配線４を保護しているが、本発明はこれに限らない。１本または２本以上の配管のみを保護する場合にも同様に適用することができる。
【符号の説明】
【００４０】
１    外壁（固定体）
２    支持具
２ａ    取付部
２ｂ    脚部
２ｃ    配管支持部
３    配管
４    配線
１０    保護カバー
１０Ａ    筒状体
１０ａ    分断されたところ（分断部）
１１    一方の縁部
１２    係止部
１２ｂ    第１折返部
１３    他方の縁部
１４    被係止部
１４ｂ    第２折返部
１５    標示部（目印線）
１６    切込み
１８    挿通部
【図１】
2011237069.tif 000003
【図２】
2011237069.tif 000004
【図３】
2011237069.tif 000005
【図４】
2011237069.tif 000006